(57)【要約】【課題】複数の熱交換ユニット５を組み合わせたモジュラータイプのラジエータにおいて、熱交換能力を向上させる。【解決手段】熱交換器ユニット４の端部に設けた補強用のサイドプレート５のうち空気流れ上流側の端部に隣り合う熱交換器ユニット４側に延びて隣り合う熱交換器ユニット４間の隙間７塞ぐようにして空気を熱交換器ユニット４に導く案内面を構成する案内プレート５ａを形成する。これにより、隙間７に向かって流れる冷却風を案内プレート５ａにより熱交換器ユニット４側に転向させることができる。したがって、熱交換器ユニット４に流れ込む冷却風の風量が増大するので、従来に比べて熱交換能力（放熱能力）を向上させることができる。【選択図】        図４
2004251489.tif 000002
【特許請求の範囲】
【請求項１】
流体が流通する複数本の金属製のチューブ（１）、前記チューブ（１）の外表面に接触して前記流体と空気との熱交換を促進する金属製のフィン（２）、及び前記チューブ（１）の長手方向両端部に配設されて複数本の前記チューブ（１）と連通するヘッダタンク（３）を有して構成された複数個の熱交換器ユニット（４）と、
前記複数個の熱交換器ユニット（４）それぞれの前記ヘッダタンク（３）と連通するベースヘッダタンク（６）とを備え、
前記熱交換器ユニット（４）のうち、前記チューブ（１）の長手方向と直交する方向の端部には、前記熱交換器ユニット（４）間の隙間を塞ぐようにして空気を前記熱交換器ユニット（４）に導く案内面を構成する案内プレート（５ａ）が設けられていることを特徴とする熱交換器。
【請求項２】
前記案内プレート（５ａ）は、前記チューブ（１）の長手方向と平行な方向に帯状に延びて前記フィン（２）に接合されたサイドプレート（５）と一体化されているとともに、前記案内面は、前記サイドプレート（５）に対して交差していることを特徴とする請求項１に記載の熱交換器。
【請求項３】
前記案内プレート（５ａ）及び前記サイドプレート（５）は、プレス成形にて一体成形されたものであることを特徴とする請求項２に記載の熱交換器。
【発明の詳細な説明】
【０００１】
【発明の属する技術分野】
本発明は、熱交換器に関するもので、ブルドーザやショベルカー等の大型建機及びトラクタ等の農業用機械のラジエータに適用して有効である。
【０００２】
【従来の技術及び発明が解決しようとする課題】
ブルドーザやショベルカー等の大型建設機械及びトラクタ等の農業用機械（以下、これらの機械を総称して特殊車両と呼ぶ。）は、砂利等の比較的大きな飛散物が存在する環境で使用されるので、砂利等の飛散物が衝突してラジエータが損傷してしまうおそれが非常に高い。
【０００３】
そこで、特殊車両用のラジエータは、図５に示すように、チューブ、フィン及びヘッダタンク等からなる熱交換器ユニット４を複数個、並列に並べる大きな１台のラジエータを構成し、熱交換器ユニット４毎に交換又は修理することによりラジエータのメインテナンス性を高めている。
【０００４】
ところで、特殊車両の車両振動は、乗用車等の一般車両に比べて非常に大きいことに加えて、熱交換器ユニットの着脱組み付け性を向上させる必要があることから、現状では、各熱交換器ユニット間に比較的大きな隙間を設けて隣り合う熱交換器ユニットが干渉してしまうことを防止しつつ、着脱組み付け性を確保している。
【０００５】
しかし、上記したラジエータでは、各熱交換器ユニット４間に比較的大きな隙間７を設けていることから、図６に示すように、冷却風がこの隙間７を通り抜けてしまい、熱交換に寄与する冷却風量が減少して熱交換性能（冷却性能）を低下させていた。
【０００６】
本発明は、上記点に鑑み、第１には、従来と異なる新規な熱交換器を提供し、第２には、従来品に比べて熱交換性能を向上させることを目的とする。
【０００７】
【課題を解決するための手段】
本発明は、上記目的を達成するために、請求項１に記載の発明では、流体が流通する複数本の金属製のチューブ（１）、チューブ（１）の外表面に接触して流体と空気との熱交換を促進する金属製のフィン（２）、及びチューブ（１）の長手方向両端部に配設されて複数本のチューブ（１）と連通するヘッダタンク（３）を有して構成された複数個の熱交換器ユニット（４）と、複数個の熱交換器ユニット（４）それぞれのヘッダタンク（３）と連通するベースヘッダタンク（６）とを備え、熱交換器ユニット（４）のうち、チューブ（１）の長手方向と直交する方向の端部には、熱交換器ユニット（４）間の隙間を塞ぐようにして空気を熱交換器ユニット（４）に導く案内面を構成する案内プレート（５ａ）が設けられていることを特徴とする。
【０００８】
これにより、隣り合う熱交換器ユニット（４）間の隙間に向かって流れる冷却風を案内プレート（５ａ）により熱交換器ユニット（４）側に転向させることができる。したがって、熱交換器ユニット（４）に流れ込む冷却風の風量が増大するので、従来に比べて熱交換能力（放熱能力）を向上させることができる。
【０００９】
請求項２に記載の発明では、案内プレート（５ａ）は、チューブ（１）の長手方向と平行な方向に帯状に延びてフィン（２）に接合されたサイドプレート（５）と一体化されているとともに、案内面は、サイドプレート（５）に対して交差していることを特徴とする。
【００１０】
これにより、サイドプレート（５）の長手方向と直交する軸周りに対する断面二次モーメントが、案内プレート（５ａ）を設けていない場合に比べて増大する。したがって、サイドプレート（５）の曲げ剛性及び捻り剛性が増大するので、補強部材としてのサイドプレート（５）の機能が増大し、熱交換器ユニット（４）の耐振性、耐久性及び信頼性を向上させることができる。
【００１１】
請求項３に記載の発明では、案内プレート（５ａ）及びサイドプレート（５）は、プレス成形にて一体成形されたものであることを特徴とするものである。
【００１２】
因みに、上記各手段の括弧内の符号は、後述する実施形態に記載の具体的手段との対応関係を示す一例である。
【００１３】
【発明の実施の形態】
本実施形態は、発明に係る熱交換器を特殊車両用のラジエータに適用したものであって、図１は本実施形態に係るラジエータの外観斜視図であり、図２は熱交換器ユニット４の拡大図であり、図３は熱交換器ユニット４の斜視図である。
【００１４】
なお、ラジエータは、空気流れ上流側に搭載された送風機から送風される冷却風が当たるように特殊車両に搭載されており、この送風機はエンジンＥ／Ｇから動力を得て稼動する。
【００１５】
そして、本実施形態に係るラジエータの熱交換コア部は、図１に示すように、冷却水が流通する複数本のアルミニウム製のチューブ１、チューブ１の外表面にろう付け又溶接されて冷却水と冷却風との熱交換を促進する波状に形成されたアルミニウム製のフィン２、及びチューブ１の長手方向両端部に配設されて複数本のチューブ１と連通するアルミニウム製のヘッダタンク３等から構成された複数個の熱交換器ユニット４を冷却風の流通方向に対して並列に並べることにより構成されている。
【００１６】
なお、本実施形態では、各熱交換器ユニット４を５０〜１００本程度の扁平状に形成されたチューブ１の扁平面にフィン２を接合することにより、その放熱能力を約１００〜２００Ｗ程度とし、ラジエータの仕様（必要放熱能力）に応じて熱交換器ユニット４の本数を変更することにより、多様な仕様に対応している。
【００１７】
また、熱交換器ユニット４のうち、チューブ１の長手方向と直交する方向の端部には、図２、３に示すように、チューブ１の長手方向と平行な方向に帯状に延びて、少なくともフィン２にろう付け又は溶接されたアルミニウム製のサイドプレート５が設けられており、このサイドプレート５のうち空気流れ上流側の端部には、隣り合う熱交換器ユニット４側に延びて隣り合う熱交換器ユニット４間の隙間７（図４参照）塞ぐようにして空気を熱交換器ユニット４に導く案内面を構成する案内プレート５ａが形成されている。
【００１８】
このとき、案内面、つまり案内プレート５ａは、図３に示すように、その先端側が根元側（熱交換器ユニット４側）より空気流れ上流側に位置するように、サイドプレート５に対して交差した状態で形成されている。なお、本実施形態では、サイドプレート５と案内プレート５ａとは、一枚の板材にプレス加工を施すことにより一体成形されている。
【００１９】
また、各熱交換器ユニット４の長手方向両端側には、図１に示すように、複数個の熱交換器ユニット４それぞれのヘッダタンク３と連通するベースヘッダタンク６が設けられており、紙面上側のベースヘッダタンク６から各熱交換器ユニット４に冷却水が分配供給され、紙面下側のベースヘッダタンク６にて各熱交換器ユニット４から流出した冷却水を集合回収する。
【００２０】
なお、熱交換器ユニット４は、シール材、つまりパッキンを兼ねるゴム製のグロメットを介してベースヘッダタンク６に挿入組み付けされ、かつ、その長手方向の長さが約１ｍ以上と一般車両用のラジエータに比べて大きいので、車両振動により撓んで、前述のごとく、隣り合う熱交換器ユニット４が干渉してしまうおそれがある。
【００２１】
次に、本実施形態の作用効果を述べる。
【００２２】
本実施形態では、サイドプレート５のうち空気流れ上流側の端部には、隣り合う熱交換器ユニット４側に延びて隣り合う熱交換器ユニット４間の隙間７塞ぐようにして空気を熱交換器ユニット４に導く案内面を構成する案内プレート５ａが形成されているので、図４に示すように、隙間７に向かって流れる冷却風を案内プレート５ａにより熱交換器ユニット４側に転向させることができる。
【００２３】
したがって、熱交換器ユニット４に流れ込む冷却風の風量が増大するので、従来に比べて熱交換能力（放熱能力）を向上させることができる。
【００２４】
また、案内プレート５ａはサイドプレート５に対して交差した状態でサイドプレート５と一体化されているので、サイドプレート５の長手方向と直交する軸周りに対する断面二次モーメントが、案内プレート５ａを設けていない場合に比べて増大する。
【００２５】
したがって、サイドプレート５の曲げ剛性及び捻り剛性が増大するので、補強部材としてのサイドプレート５の機能が増大し、熱交換器ユニット４の耐振性、耐久性及び信頼性を向上させることができる。
【００２６】
また、サイドプレート５を金属製としているので、サイドプレート５においても熱交換をさせることができる。したがって、サイドプレート５を設けていない従来型のラジエータに比べて、隙間７を通る冷却風との熱交換面積（放熱面積）を増大させることができるので、従来に比べて熱交換能力（放熱能力）を向上させることができる。
【００２７】
（その他の実施形態）
上述の実施形態では、フィン２として波状に形成されたコルゲートフィンを採用したが、本発明はこれに限定されるものではなく、例えばチューブ１の長手方向と直交する方向に延びる薄帯板材に設けられた穴にチューブ１を挿入した状態でチューブ１を拡管し、前記薄帯板材とチューブ１とを機械的に接合して形成したプレートフィンをフィン２として採用してもよい。
【００２８】
また、上述の実施形態では、本発明に係る熱交換器を特殊車両用のラジエータに適用したが、本発明の用途はこれに限定されるものではない。
【００２９】
また、上述の実施形態では、アルミニウムにて本発明に係る熱交換器を構成したが、本発明はこれに限定されるものではなく、銅等のその他の金属製としてもよい。
【図面の簡単な説明】
【図１】本発明の実施形態に係るラジエータの斜視図である。
【図２】本発明の実施形態に係る熱交換器ユニットの正面図である。
【図３】本発明の実施形態に係る熱交換器ユニットの斜視図である。
【図４】本発明の実施形態に係るラジエータの効果を示す図である。
【図５】従来の技術に係るラジエータの斜視図である。
【図６】従来の技術に係るラジエータの問題点を説明するための説明図である。
【符号の説明】
１…チューブ、２…フィン、４…熱交換器ユニット、
５…サイドプレート、５ａ…案内サイドプレート。
【図１】
2004251489.tif 000003
【図２】
2004251489.tif 000004
【図３】
2004251489.tif 000005
【図４】
2004251489.tif 000006
【図５】
2004251489.tif 000007
【図６】
2004251489.tif 000008